(57)【要約】【課題】吊環を備えた設備の天井部に容易かつ確実に設置できる安全ロープ張設用支持金具を提供する。【解決手段】天井部５１−１上に延在して両端に先端開口部１４ａが開口する筒状の第１水平脚部１３及び上下方向に延在して上端開口部１８ａが開口する筒状の支柱保持部１８を有するベース部本体１１と、先端開口部１４ａから基端２１ａが第１水平脚部１３内に摺動可能に嵌挿すると共に先端部に吊環５２に係止するベース部固定手段２５が設けられた第２水平脚部２１と、支柱保持部１８に基端３１ａが嵌挿して上部に安全ロープ４９を係止する安全ロープ係止部３２を有する支柱３１とを備える。【選択図】図１
2008035953.tif 000002
【特許請求の範囲】
【請求項１】
天井部に複数の吊環を備えた設備の前記天井部上に設置されて安全ロープを張設する安全ロープ張設用支持金具において、
両先端部にそれぞれの前記吊環に係止するベース部固定手段が設けられて前記天井部上に延在する水平脚部を有するベース部と、
該ベース部に基部が支持されて上方に延在すると共に上部に前記安全ロープを係止する安全ロープ係止部を有する支柱と、
を備えたことを特徴とする安全ロープ張設用支持金具。
【請求項２】
天井部に複数の吊環を備えた設備の前記天井部上に設置されて安全ロープを張設する安全ロープ張設用支持金具において、
前記天井部上に延在して両端にそれぞれ先端開口部が開口する筒状の第１水平脚部及び上下方向に延在して上端に上端開口部が開口する筒状の支柱保持部を有するベース部本体と、
前記各先端開口部からそれぞれ基部が第１水平脚部内に摺動可能に嵌合すると共に前記先端開口部から突出する先端部に前記吊環に係止するベース部固定手段が設けられた一対の第２水平脚部と、
前記互いに嵌合する第１水平脚部と第２水平脚部の基部とを固定する水平脚固定手段と、
前記上端開口部から前記支柱保持部内に基部が嵌挿して支持されると共に上方に延在して上部に前記安全ロープを係止する安全ロープ係止部を有する支柱と、
を備えたことを特徴とする安全ロープ張設用支持金具。
【請求項３】
前記互いに嵌合する支柱保持部と支柱の基部とを固定する支柱固定手段を備えたことを特徴とする請求項２に記載の安全ロープ張設用支持金具。
【請求項４】
前記ベース部本体は、前記第１水平脚部と直交する方向で前記天井部上に延在する横脚部を有することを特徴とする請求項２または３に記載の安全ロープ張設用支持金具。
【請求項５】
前記ベース部固定手段は、
前記第２水平脚部の先端部に取り付けられる基部及び該基部から延在して上下方向に貫通するフック取付孔が穿設されたフック保持部を有するフック取付ブラケットと、
前記フック取付孔に挿通する基部及び該基部の下端に延設されて前記吊環に係止するフック部を有するフックと、
前記フック保持部の上方に突出する前記フックの基部に螺合するナットと、
を備えたことを特徴とする請求項２〜４のいずれか１項に記載の安全ロープ張設用支持金具。
【請求項６】
前記安全ロープ係止部と各ベース部固定手段との間に張設されるロープを備えたことを特徴とする請求項２〜５のいずれか１項に記載の安全ロープ張設用支持金具。
【発明の詳細な説明】
【技術分野】
【０００１】
本発明は、安全ロープ張設用支持金具に関し、特に高所作業場から作業者が転落するのを防止する安全帯を係止する安全ロープを張設する安全ロープ張設用支持金具に関する。
【背景技術】
【０００２】
高さ２ｍ以上の高所における作業にあたっては、作業者の転落等を防止する安全対策として安全帯、いわゆる命綱の装着が義務づけられている。このため、例えば建築物や各種の設備等における高所の作業にあたっては、複数の安全ロープ張設用支持金具を立設し、安全ロープ張設用支持金具の間に張設された安全ロープに安全帯の一端を取り付け、この安全帯の他端を作業者が装着して作業を行っている。
【０００３】
この種の安全ロープを張設する安全ロープ張設用支持金具が種々提案されている。例えば、図８に示すように、折板構造屋根１１１に取り付ける安全ロープ張設用支持金具１０１は、両端に折板構造屋根１１１の重合突出条部１１２を挟持する挟持部１０３が設けられたアングル材１０２に立設された支柱１０４を有し、両端に設けられた挟持部１０３によって隣接する重合突出条部１１２にアングル材１０２を固定して支柱１０４を折板構造屋根１１１上に立設する。このようにして折板構造屋根１１１上に立設された安全ロープ張設用支持金具１０１の支柱１０４に設けられた連結環１０５に安全ロープ１０７の端部を係止して安全ロープ１０７を張設することが知られている（例えば、特許文献１参照）。
【０００４】
一方、発電所や変電所においては、内部に変圧器や通信機器等の電気機器が収容された移動設置式の変電機器設備が屋外に設置されている。
【０００５】
この移動設置式の変電機器設備では、図９に概要を示すように複数個の変電機器設備、例えば４個の変電機器設備５０−１〜５０−４が連接して設置されている。各変電機器設備５０−１〜５０−４は、一般に高さが２ｍ以上あり重量物であることから、仮想線で示すように各矩形の天井部５１−１〜５１−４の各隅部に溶接によって取り付けられた環状の吊環５２にワイヤ５３を結合して図示しないクレーン等で吊り下げて運搬及び設置される。または、予め複数の変電機器設備５０−１〜５０−４を一体的に連結してユニット化し、このユニット化した変電機器設備５０−１〜５０−４を一体的にクレーン等で吊り下げて搬送及び設置される。
【０００６】
この変電機器設備５０−１〜５０−４の天井部５１−１〜５１−４上における電気機器等の保守点検や補修等の作業にあたっても安全帯を係止する安全ロープの張設が必要になる。この安全ロープの張設は、図１０に概要を示すように、連結された変電機器設備５０−１〜５０−４の両側にそれぞれ作業用足場１２１を組み立てて設置し、各作業用足場１２１に単管からなる支柱１２２を固定して立設し、各支柱１２２の上部に設けられた連結環１２３間に安全ロープ１２５を張設することによって行われる。
【０００７】
【特許文献１】実用新案登録第３０７６２０２号公報
【発明の開示】
【発明が解決しようとする課題】
【０００８】
前記特許文献１の記載によると、折板構造屋根１１１の隣接する重合突出条部１１２にアングル材１０２の両端に設けられた挟持部１０３を固定することによって折板構造屋根１１１上に安全ロープ張設用支持金具１０１を設置することができる。しかし、折板構造屋根１１１の重合突出条部１１２に挟持部１０３を挟持して安全ロープ張設用支持金具１０１を固定するものであり、その使用範囲が重合突出条部１１２を備えた折板構造屋根１１１に制限される。
【０００９】
一方、変電機器設備５０−１〜５０−４の両側に作業用足場１２１を設置して支柱１２２を固定する安全ロープ張設用支柱の設置は、汎用性が確保できるものの、作業用足場１２１を組み立てて設置する作業は、作業用足場１２１に多くの部材を要し、極めて厄介でかつ作業現場における多くの作業を要する。また、作業用足場１２１の設置場所の確保が困難な場合には、多くの制約があり、作業用足場１２１の組み立て作業に影響を及ぼす場合がある。また、作業用足場１２１は対地と完全に固定されるものではなく、立設された支柱１２２が不安定になることが懸念される。
【００１０】
ここで、本発明者らは、変電機器設備５０−１〜５０−４の天井部５１−１〜５１−４の各隅部に溶接された吊り上げ運搬及び設置作業用の吊環５２に着目し、鋭意研究実験等によりこの吊環５２を活用することによって容易かつ確実に安全ロープ張設用支持金具を天井部５１−１〜５１−４に設置できることを見出した。
【００１１】
同様のことが、変電機器設備に限らず天井部に吊環を備えた仮設建築物等他の設備においてもあてはまる。
【００１２】
従って、かかる点に鑑みなされた本発明の目的は、吊環を備えた設備の天井部に容易かつ確実に設置できる安全ロープ張設用支持金具を提供することにある。
【課題を解決するための手段】
【００１３】
前記目的を達成する請求項１に記載の安全ロープ張設用支持金具の発明は、天井部に複数の吊環を備えた設備の前記天井部上に設置されて安全ロープを張設する安全ロープ張設用支持金具において、両先端部にそれぞれの前記吊環に係止するベース部固定手段が設けられて前記天井部上に延在する水平脚部を有するベース部と、該ベース部に基部が支持されて上方に延在すると共に上部に前記安全ロープを係止する安全ロープ係止部を有する支柱とを備えたことを特徴とする。
【００１４】
この発明によれば、上部に安全ロープ係止部を備えた支柱の基部を支持するベース部が、天井部上で水平方向に延在する水平脚部を有し、この水平脚部の各先端部に吊環に係止するベース部固定手段を配設することにより、天井部上に延在する水平脚部の各先端部に設けられた各ベース部固定手段をそれぞれ離間して天井部に設けられた吊環に係止できる。これにより容易かつ確実に天井部上に安全ロープ用支持金具を設置することができる。
【００１５】
請求項２に記載の安全ロープ張設用支持金具の発明は、天井部に複数の吊環を備えた設備の前記天井部上に設置されて安全ロープを張設する安全ロープ張設用支持金具において、前記天井部上に延在して両端にそれぞれ先端開口部が開口する筒状の第１水平脚部及び上下方向に延在して上端に上端開口部が開口する筒状の支柱保持部を有するベース部本体と、前記各先端開口部からそれぞれ基部が第１水平脚部内に摺動可能に嵌合すると共に前記先端開口部から突出する先端部に前記吊環に係止するベース部固定手段が設けられた一対の第２水平脚部と、前記互いに嵌合する第１水平脚部と第２水平脚部の基部とを固定する水平脚固定手段と、前記上端開口部から前記支柱保持部内に基部が嵌挿して支持されると共に上方に延在して上部に前記安全ロープを係止する安全ロープ係止部を有する支柱を備えたことを特徴とする。
【００１６】
この発明によれば、ベース部本体に形成された第１水平脚部と、第１水平脚部に基部が収縮自在に嵌合し先端部にベース部固定手段を備えた第２水平脚部を備えることから、第１水平脚部の先端開口部から突出する第２水平脚部の突出量を調整することにより各ベース部固定手段の離間距離が調整でき、天井部に設けられる吊環間の離間距離が異なる種々の設備に安全ロープ張設支持金具を容易に設置することができる。
【００１７】
一方、安全ロープ張設支持金具をベース部本体、一対の第２水平脚部、支柱等の各構成部材に分解できる。これら分解されたベース部本体、一対の第２水平脚部、支柱等は比較的コンパクトかつ軽量で取り扱い性に優れ、例えば一人の作業員により設置場所に運搬して搬入できる。このベース部本体の第１水平脚部の各先端開口部から第２水平脚部の基部を挿入して水平脚固定手段により固定し、支柱保持部に支柱の基部を嵌挿して支持する簡単な作業で安全ロープ張設支持金具を設置場所で容易に組み立てることができる。また、設置された安全ロープ支持金具をベース部本体、一対の第２水平脚部、支柱等に分解することにより容易に設置場所から搬出することができ、作業効率の向上が得られる。
【００１８】
請求項３に記載の発明は、請求項２の安全ロープ張設用支持金具において、前記互いに嵌合する支柱保持部と支柱の基部とを固定する支柱固定手段を備えたことを特徴とする。
【００１９】
この発明によれば、嵌合する支柱保持部と支柱の基部とを支柱固定手段により固定することにより支持保持部と支柱とがより確実に固定される。
【００２０】
請求項４に記載の発明は、請求項２または３の安全ロープ張設用支持金具において、前記ベース部本体は、前記第１水平脚部と直交する方向で前記天井部上に延在する横脚部を有することを特徴とする。
【００２１】
この発明によれば、第１水平脚部と直交する方向で前記天井部上に延在する横脚部を備えることから、より安定した状態で安全ロープ用支持金具を設置することができる。
【００２２】
請求項５に記載の発明は、請求項２〜４のいずれか１項の安全ロープ張設用支持金具において、前記ベース部固定手段は、前記第２水平脚部の先端部に取り付けられる基部及び該基部から延在して上下方向に貫通するフック取付孔が穿設されたフック保持部を有するフック取付ブラケットと、前記フック取付孔に挿通する基部及び該基部の下端に延設されて前記吊環に係止するフック部を有するフックと、前記フック保持部の上方に突出する前記フックの基部に螺合するナットとを備えたことを特徴とする。
【００２３】
この発明によれば、ベース部固定手段を第１水平脚部に取り付けられてフック取付孔が穿設されたフック取付ブラケットと、基部がフック取付孔を貫通する基部及び吊環に係止するフック部を有するフックと、ナットとにより簡単に構成でき、かつフックのフック部を吊環に係止してフック取付ブラケットのフック取付孔から突出する基部にナットを螺合させて締め付けてフックに緊張を付与することによって第２水平脚部の先端部を吊環に強固に係止して締結することができる。
【００２４】
請求項６に記載の発明は、請求項２〜５のいずれか１項の安全ロープ張設用支持金具において、前記安全ロープ係止部と各ベース部固定手段との間に張設されるロープを備えたことを特徴とする。
【００２５】
この発明によれば、支柱の上部に設けられた安全ロープ係止部とベース部固定手段との間にロープを張設することにより、支柱が下方に付勢され、ベース部本体が天井部から浮き上がるのをより確実に防止できる。
【発明の効果】
【００２６】
本発明の安全ロープ張設用支持金具によると、上部に安全ロープ係止部を備えた支柱の基部を支持するベース部が、天井部上で延在する水平脚部を有し、この水平脚部の各先端部に吊環に係止するベース部固定手段を配設することにより、各ベース部固定手段を離間して天井部に設置された吊環に係止でき、安全ロープ用支持金具が容易かつ安定した状態で設置できる。
【発明を実施するための最良の形態】
【００２７】
以下、本発明の安全ロープ張設用支持金具の実施の形態を、設備が移動式の変電機器設備である場合を例に図１乃至図７を参照して説明する。
【００２８】
図１は、変電機器設備に安全ロープ張設用支持金具１を設置した変電機器設備の概要を示す斜視図、図２は図１の平面図である。
【００２９】
安全ロープ張設用支持金具１が設置される変電機器設備は、図９に示す変電機器設備と同様であって、図１及び図２に概要を示すように複数個の変電機器設備、本実施の形態では４個の変電機器設備５０−１〜５０−４が連結して設置されている。
【００３０】
これらの各変電機器設備５０−１〜５０−４は、外形が略ボックス形状であって各矩形の天井部５１−１〜５１−４の各隅部に溶接によって環状の吊環５２が取り付けられている。この各変電機器設備５０−１〜５０−４はそれぞれの天井部５１−１〜５１−４に取り付けられた吊環５２にワイヤを結合してクレーン等で吊り下げて運搬及び設置される。または、予め複数の変電機器設備５０−１〜５０−４を一体的に連結してユニット化し、このユニット化した変電機器設備５０−１〜５０−４を一体的にクレーン等で吊り下げて搬送及び設置される。
【００３１】
この連接して設置された変電機器設備５０−１〜５０−４における両端に配置される変電機器設備５０−１と５０−４の各天井部５１−１及び５１−４上にそれぞれ安全ロープ張設用支持金具１が設置され、これら対向して設置された安全ロープ張設用支持金具１の間に安全ロープ４９が張設される。
【００３２】
次に、安全ロープ張設用支持金具１について図３乃至図７を参照して説明する。図３は安全ロープ張設用支持金具１の正面図、図４は図３のＡ矢視方向の側面図、図５は安全ロープ張設用支持金具１の分解斜視図である。
【００３３】
安全ロープ張設用支持金具１は、変電機器設備５０−１及び５０−４の天井部５１−１、５１−４上に載置されて固定されるベース部１０と、このベース部１０に立設される支柱３１及びベース部１０と支柱３１との間に架設されるステー３５を備えている。
【００３４】
ベース部１０は、ベース部本体１１と第２水平脚部２１とによって構成される。ベース部本体１１は中空矩形断面形状で水平方向に延在する筒状の第１水平脚部１３及びこの第１水平脚部１３の長さ方向の中央部から第１水平脚部１３の延在方向に対して直交して水平方向に延在する中空矩形断面形状の横脚部１６を有する平面視略Ｔ字形であって、第１水平脚部１３の中央部上面に中空矩形断面形状で上下方向に延在して上端に上端開口部１８ａが開口する筒状の支柱保持部１８が立設される。
【００３５】
第１水平脚部１３によってその中央部から互いに離反して延在して各先端部に先端開口部１４ａが開口する１対の水平脚連結部１４が形成される。各水平脚連結部１４の上壁１４ｂには、図６に図５のＩ−Ｉ線断面図を示すように複数個、本実施の形態では３個の貫通孔１５ａが第１水平脚部１３の延在方向に離間して穿設され、各貫通孔１５ａに対応してナット１５ｂが溶接されている。一方、横脚部１６の上壁１６ａの先端部に挿通孔１７ａが穿設されたステー取付用ブラケット１７が溶接されている。
【００３６】
支柱保持部１８には、図７に図５のＩＩ−ＩＩ線断面図を示すように壁部１８ｂに複数個、本実施の形態では２個の貫通孔１９ａが上下方向に離間して穿設され、各貫通孔１９ａに対応してナット１９ｂが溶接されている。
【００３７】
また、横脚部１６と支持保持部１８及び第１水平脚部１３と支持保持部１８との間にそれぞれ補強部材２０が架設され、かつ第１水平脚部１３の下面中央部及び横脚部１６の下面先端部にそれぞれ矩形板状の設置部３０Ａ、３０Ｂが設けられている。
【００３８】
第２水平脚部２１は、基部２１ａが先端開口部１４ａから水平脚連結部１４内に摺動可能に嵌挿される中空矩形断面形状の筒状であって、互いに嵌合する第１水平脚部１３と第２水平脚部２１によって水平方向に伸縮自在な水平脚部１２が構成される。また、図６に仮想線で示すように第２水平脚部２１の基部２１ａを水平脚連結部１４内に嵌挿した状態で、アイボルトからなる固定ボルト１５ｃを水平脚連結部１４の上壁１４ｂに設けられたナット１５ｂに螺合して貫通孔１５ａを介して固定ボルト１５ｃの先端を第２水平脚部２１の上壁２１ｂに圧接することによって水平脚連結部１４に第２水平脚部２１が固定される。これら貫通孔１５ａ、ナット１５ｂ、固定ボルト１５ｃ等によって互いに嵌合する第１水平脚部１３と第２水平脚部２１の基部２１ａを固定する水平脚部固定手段１５が構成される。
【００３９】
水平脚連結部１４の先端開口部１４ａから突出する第２水平脚部２１の先端部にフック取付ブラケット２６、フック２７、ナット２８等からなるベース部固定手段２５が設けられている。
【００４０】
フック取付ブラケット２６は基部２６ａが上壁２１ｂに固設されて上方に折曲し、更にフック保持部２６ｂが水平方向に折曲する板部材によって形成され、フック保持部２６ｂに上下方向に貫通するフック取付孔２６ｃが穿設されている。一方、フック２７はフック取付孔２６ｃに貫通可能な棒状でネジ部が形成された基部２７ａ及びこの基部２７ａの下端にフック部２７ｂが延設されたＪ字状であって、基部２７ａを下方からフック取付孔２６ｃに挿入してフック保持部２６ｂから上方に突出する基部２７ａに螺合するナット２８によって、フック２７がフック取付ブラケット２６のフック保持部２６ｂに係止される。また、第２水平脚部２１の下面先端部に矩形板状の設置部３０Ｃが設けられている。なお、フック取付ブラケット２６のフック保持部２６ｂに穿設されるフック取付孔２６ｃは、フック２７の基部２７ａが間隙をもって揺動自在に貫通可能な径に設定されている。
【００４１】
支柱３１は、下端の基部３１ａがベース部本体１１の支柱保持部１８に上端開口部１８ａから嵌挿される中空矩形断面形状の筒状であって、上部３１ｂに環状の安全ロープ係止部３２が設けられ、かつ上部３１ｂに貫通孔３３ａが穿設されたステー取付用ブラケット３３が設けられている。
【００４２】
また、図７に仮想線で示すように支柱３１の基部３１ａを支柱保持部１８内に嵌挿した状態で、アイボルトからなる固定ボルト１９ｃを支柱保持部１８の壁部１８ｂに設けられたナット１９ｂに螺合して貫通孔１９ａを貫通させて固定ボルト１９ｃの先端を支柱３１の基部３１ａに圧接することによって支柱３１が支柱保持部１８に固定される。これら貫通孔１９ａ、ナット１９ｂ、固定ボルト１９ｃ等によって互いに嵌合する支柱３１の基部３１ａと支柱保持部１８とを固定する支柱固定手段１９が形成される。
【００４３】
ステー３５は、その下端に横脚部１６に固設されたステー取付用ブラケット１７に当接すると共に貫通孔３６ａが穿設された下部結合部３６が形成され、上端に支柱３１に設けられたステー取付用ブラケット３３に当接すると共に貫通孔３７ａが穿設された上部結合部３７が形成されている。このステー３５の下部結合部３６をステー取付用ブラケット１７に重合して貫通孔３６ａ及び１７ａを貫通する取付ボルト３８ａ及びこの取付ボルト３８ａに螺合するナット３８ｂによってステー取付用ブラケット１７に結合すると共に、上部結合部３７をステー取付用ブラケット３３に重合して貫通孔３７ａ及び３３ａを貫通する取付ボルト３９ａ及びこの取付ボルト３９ａに螺合するナット３９ｂによってステー取付用ブラケット３３に結合することによって、横脚部１６の先端部と支柱３１の上部３１ｂとの間にステー３５が掛け渡される。
【００４４】
次に、このように構成される安全ロープ張設用支持金具１の設置作業について説明する。
【００４５】
安全ロープ張設用支持金具１の設置にあたり、予め安全ロープ張設支持金具１は、各構成部材、例えばベース部本体１１、一対の第２水平脚部２１、支柱３１、ステー３５に５分割に分解されて、変電機器設備５０−１〜５０−４の天井部５１−１〜５１−４上にそれぞれ搬入される。これら５分割に分解された各ベース部本体１１、一対の第２水平脚部２１、支柱３１及びステー３５は比較的コンパクトでかつ軽量であって、その取り扱い性に優れ、例えば一人の作業員により設置場所である変電機器設備５０−１〜５０−４の天井部５１−１〜５１−４に容易に搬入できる。
【００４６】
変電機器設備５０−１〜５０−４の天井部５１−１〜５１−４上に分解されて搬入された安全ロープ張設用支持金具１の設置作業の一例を順次説明する。
【００４７】
先ず、ベース部本体１１を、一方の設置場所となる変電機器設備５０−１の天井部５１−１の側端側に沿って設けられた一対の吊環５２の間に第１水平脚部１３を延在させ、かつ横脚部１６を他方の設置場所となる変電機器設備５０−４の天井部５２−４側に向けて延在させると共に設置部３０Ａ及び３０Ｂを下側にして天井部５１−１上に配置する。
【００４８】
この配置されたベース部本体１１の第１水平脚部１３の各水平脚連結部１４内にそれぞれ先端開口部１４ａから第２水平脚部２１の基部２１ａを嵌挿し、かつその挿入量を調節して各第２水平脚部２１に取り付けられたフック取付ブラケット２６のフック保持部２６ｂに穿設されたフック取付孔２６ｃを吊環５２のほぼ上方に位置させる。
【００４９】
このフック取付孔２６ｃが吊環５２の上方に位置決めされた状態で、水平脚部固定手段１５の固定ボルト１５ｃを水平脚連結部１４の上壁１４ｂに設けられたナット１５ｂに螺合して貫通孔１５ａを貫通させて固定ボルト１５ｃの先端を第２水平脚部２１の上壁２１ｂに圧接して水平脚連結部１４と第２水平脚部２１を固定する。
【００５０】
続いて、ベース部固定手段２５のフック２７のフック部２７ｂを吊環５２に係止すると共に基部２７ａを下方からフック取付ブラケット２６のフック保持部２６ｂに穿設されたフック取付孔２６ｃに挿入し、フック取付孔２６ｃから上方に突出する基部２７ａにナット２８を螺合させ、このナット２８の締め付けによりフック２７に緊張を付与して第２水平脚部２１の先端部を吊環５２に強固に係止する。また、この第２水平脚部２１の先端部と吊環５２との係止は、予めフック取付孔２６ｃにフック２７の基部２７ａを挿通し、基部２７ａに螺合するナット２８によりフック２７をフック取付ブラケット２６のフック保持部２６ｂに揺動自在に吊下し、その吊下されたフック２７のフック部２７ｂを吊環５２に係止してナット２８の締め付けによりフック２７に緊張を付与して第２水平脚部２１の先端部を吊環５２に係止することもできる。
【００５１】
このベース部固定手段２５による第２水平脚部２１の先端部と吊環５２との係止に伴って、ベース部本体１１、横脚部１６及び各第２水平脚部２１にそれぞれ配設された各設置部３０Ａ、３０Ｂ、３０Ｃが天井部５１−１上に圧接すると共に、天井部５１−１に離間して配置された各吊環５２に水平脚部１２の両端が係止されて安定した状態で確実にベース部１０が天井部５１−１上に設置される。
【００５２】
次に、ベース部本体１１に立設する支柱保持部１８の上端開口部１８ａから支柱３１の基部３１ａを挿入し、この支柱３１の基部３１ａが支柱保持部１８内に嵌合した状態で、支柱固定手段１９の固定ボルト１９ｃを支柱保持部１８の壁部１８ｂに設けられたナット１９ｂに螺合して貫通孔１９ａから突出する固定ボルト１９の先端を支柱３１の基部３１ａに圧接することによって支柱３１を支柱保持部１８に固定する。
【００５３】
しかる後、ステー３５の下部結合部３６を横脚部１６に設けられたステー取付用ブラケット１７に重合して貫通孔３６ａ及び１７ａを貫通する取付ボルト３８ａ及びこの取付ボルト３８ａに螺合するナット３８ｂによってステー取付用ブラケット１７に結合すると共に、上部結合部３７を支柱３１に設けられたステー取付用ブラケット３３に重合して貫通孔３７ａ及び３３ａを貫通する取付ボルト３９ａとこの取付ボルト３９ａに螺合するナット３９ｂによってステー取付用ブラケット３３に結合して、横脚部１６の先端部と支柱３１の上部３１ｂとの間にステー３５を架設して安全ロープ張設用支持金具１の設置を終了する。
【００５４】
安全ロープ張設用支持金具１は、上述のように構成部材であるベース部本体１１、一対の第２水平脚部２１、支柱３１及びステー３５は比較的コンパクトでかつ軽量であって取り扱い性に優れ、ベース部本体１１の第１水平脚部１３によって形成された各水平脚連結部１４の先端開口部１４ａから第２水平脚部２１の基端２１ａを挿入して水平脚部固定手段１５により固定し、支柱保持部１８に支柱３１の基部３１ａを挿入して支柱固定手段１９により固定すると共にステー３５を取り付ける簡単な作業で組み立てることができる。
【００５５】
また、必要に応じて支柱３１に設けられた安全ロープ係止部３２と第１水平脚部１３に取り付けられた固定ボルト１５ｃの環状部１５ｄとの間にロープ４５を張設して支柱３１を下方に付勢することにより支柱３１を安定した状態でベース部１０に保持すると共に、水平脚部１２が天井部５１−１から浮き上がるのを防止して、安全ロープ張設用支持金具１の安定した状態を確実にすることが望ましい。
【００５６】
具体的には、図３に示すように、両端にそれぞれ係止フック４６ａ、４６ｂを有しターンバックル４７が介在するロープ４５を準備する。そして、一方の水平脚連結部１４に取り付けられた先端開口部１４ａ側の固定ボルト１５ｃの環状部１５ｄに係止フック４６ａを係止すると共に、ロープ４５を支柱３１の上部３１ｂに取り付けられた安全ロープ係止部３２に挿通にし、更に他方の水平脚連結部１４に取り付けられた先端開口部１４ａ側の固定ボルト１５ｃの環状部１５ｄに他方の係止フック４６ｂを係止して、ロープ４５を安全ロープ係止部３２を介して両水平脚連結部１４間に張設する。更にターンバックル４７によりロープ４５に緊張を付与することによって、支柱３１を下方に付勢してより安定した状態でベース部１０に強固に保持すると共に、水平脚部１２が天井部５１−１から浮き上がるのを防止する。
【００５７】
同様に、図１及び図２に示すように、他方の設置場所となる変電機器設備５０−４の天井部５１−４上に安全ロープ張設用支持金具１が設置される。
【００５８】
このように対向して変電機器設備５−１の天井部５１−１に設置された安全ロープ張設用支持金具１の安全ロープ係止部３２と変電機器設備５−４の天井部５１−４に設置された安全ロープ張設用支持金具１の安全ロープ係止部３２に安全ロープ４９を係止して、これらの間に親綱となる安全ロープ４９を張設する。この安全ロープ張設用支持金具１間に張設された安全ロープ４９に図示しない安全帯の一端を取り付け、安全帯の他端を作業者に装着して変電機器設備５０−１〜５０−４の天井部５１−１〜５１−４上での作業を行う。
【００５９】
しかる後、設置された安全ロープ支持金具１は、安全ロープ４９を取り外した後に、取り扱い性に優れたベース部本体１１、一対の第２水平脚部２１、支柱３１及びステー３５の各構成部材に分解されて、変電機器設備５０−１〜５０−４の天井部５１−１〜５１−４上から搬出される。
【００６０】
以上のように構成された安全ロープ張設用支持金具１によると、上部３１ｂに安全ロープ係止部３２を備えた支柱３１の基端３１ａを支持するベース部１０が、天井部５１−１或いは５１−４上で水平方向に延在すると共に各先端部にベース部固定手段２５が配設された水平脚部１２を有し、各ベース部固定手段２５をそれぞれ離間して配置された吊環５２に係止することにより容易かつ確実に天井部上に安全ロープ用支持金具１を設置できる。特にベース部固定手段２５を水平脚部１２に取り付けられてフック取付孔２６ｃが穿設されたフック取付ブラケット２６と、フック取付孔２６ｃに挿通する基部２７ａ及び吊環５２に係止するフック部２７ｂを有するＪ字状のフック２７と、ナット２８と備え、フック２７のフック部２７ｂを吊環５２に係止してフック取付ブラケット２６のフック取付孔２６ｃから突出する基部２７ａにナット２８を締め付けてフック２７に緊張を付与することによって水平脚部２１の先端部を吊環５２に強固に係止することができる。
【００６１】
また、水平脚部１２を支柱３１が立設するベース部本体１１に形成された第１水平脚部１３と、第１水平脚部１３に基部２１ａが嵌合し先端部にベース部固定手段２５を備えた第２水平脚部２１とにより構成することにより、各水平脚部１２に設けられたベース部固定手段２５の離間距離が調整できる。これにより、天井部に配置された吊環５２の離間距離が異なる種々の変電機器設備に安全ロープ張設用支持金具４１を設置することができ、その汎用性が得られる。
【００６２】
更に、安全ロープ張設用支持金具１の設置にあたり、ベース部本体１１、一対の第２水平脚部２１、ステー３５に分解可能であり、各ベース部本体１１、一対の第２水平脚部２１、ステー３５は比較的コンパクトかつ軽量で取り扱い性に優れ、作業効率の向上が期待できる。
【００６３】
また、ベース本体１１の支持保持部１８に挿入する支柱３１の基部３１ａの挿入量を変えることにより、安全ロープ係止部３２の高さを調整することができる。この場合、安全ロープ係止部３２の高さ調整に伴って変化する横脚部１６に設けられたステー取付用ブラケット１７と支柱３１に設けられたステー取付用ブラケット３３の離間距離に対応して下部結合部３６及び上部結合部３７が配設されたステー３５と代える必要がある。
【００６４】
なお、本発明による安全ロープ張設用支持金具は、上記実施の形態に限定されることなく発明の趣旨を逸脱しない範囲で種々変更可能である。例えば、上記実施の形態では、第１水平脚部１３、第２水平脚部２１、支柱保持部１８及び支柱３１を中空矩形断面形状の筒状に形成したが、中空円形断面形状の筒状、いわゆる円筒管によって形成することができる。また、安全ロープ張設用支持金具は変電機器設備に限らず天井部に吊環を備えた仮設建築物等他の種々の設備に設置することができる。
【図面の簡単な説明】
【００６５】
【図１】本発明の実施の形態に係る安全ロープ張設用支持金具を設置した変電機器設備の概要を示す斜視図である。
【図２】図１の平面図である。
【図３】安全ロープ張設用支持金具の正面図である。
【図４】図３のＡ矢視方向の側面図である。
【図５】安全ロープ張設用支持金具の分解斜視図である。
【図６】図５のＩ−Ｉ線断面図である。
【図７】図５のＩＩ−ＩＩ線断面図である
【図８】従来の安全ロープ張設用支持金具の概要を示す図である。
【図９】移動設置式の変電機器設備の概要を示す図である。
【図１０】従来の作業用足場による安全ロープ張設用支柱の設置の概要を示す図である。
【符号の説明】
【００６６】
１      安全ロープ張設用支持金具
１０    ベース部
１１    ベース部本体
１２    水平脚部
１３    第１水平脚部
１４    水平脚連結部
１４ａ  先端開口部
１５    水平脚部固定手段
１６    横脚部
１８    支柱保持部
１９    支柱固定手段
２１    第２水平脚部
２１ａ  基部
２５    ベース部固定手段
２６    フック取付ブラケット
２６ａ  基端部
２６ｂ  フック保持部
２６ｃ  フック取付孔
２７    フック
２７ａ  基部
２７ｂ  フック部
２８    ナット
３１    支柱
３１ａ  基部
３１ｂ  上部
３２    安全ロープ係止部
３５    ステー
４９    安全ロープ
５０−１〜５０−４    変電機器設備（設備）
５１−１〜５１−４    天井部
５２    吊環
【図１】
2008035953.tif 000003
【図２】
2008035953.tif 000004
【図３】
2008035953.tif 000005
【図４】
2008035953.tif 000006
【図５】
2008035953.tif 000007
【図６】
2008035953.tif 000008
【図７】
2008035953.tif 000009
【図８】
2008035953.tif 000010
【図９】
2008035953.tif 000011
【図１０】
2008035953.tif 000012